(57)【特許請求の範囲】
【請求項１】
固定側部材に支持されて張設される膜体と、この膜体の面方向に沿って延びると共にこの膜体の外面上に配置される可撓性板形状の太陽電池と、この太陽電池を上記膜体に取り付ける取付具とを備えた膜状太陽光発電装置において、
上記取付具が、上記太陽電池の外縁部に形成された貫通孔と、一端部が上記膜体に接合され、他端部側が上記貫通孔に挿通された状態で上記他端部が上記膜体に接合される取付膜材とを有したことを特徴とする膜状太陽光発電装置。
【請求項２】
上記取付膜材の一端部が上記太陽電池の裏面側に配置され、上記取付膜材の他端部が上記太陽電池の面方向の外方に配置されたことを特徴とする請求項１に記載の膜状太陽光発電装置。
【請求項３】
上記太陽電池の外縁部に沿って上記取付膜材の他端部側が所定間隔をあけて複数配設され、上記各取付膜材の一端部同士が一体的に連結されたことを特徴とする請求項１、もしくは２に記載の膜状太陽光発電装置。
【請求項４】
上記膜体の面方向で、この膜体の傾斜した方向に直交する方向の上記太陽電池の各外縁部がそれぞれ上記取付具により上記膜体に取り付けられ、上記傾斜した方向における上記太陽電池の上部の外縁部と上記膜体との間の隙間を覆うカバー膜材が設けられたことを特徴とする請求項１から３のうちいずれか１つに記載の膜状太陽光発電装置。
【発明の詳細な説明】
【技術分野】
【０００１】
本発明は、建造物など固定側部材に支持されて張設される膜体に対し、取付具により可撓性板形状の太陽電池を取り付けるようにした膜状太陽光発電装置に関するものである。
【背景技術】
【０００２】
上記膜状太陽光発電装置には、従来、下記特許文献１に示されるものがある。この公報のものによれば、膜状太陽光発電装置は、固定側部材に支持されて張設される膜体と、この膜体の面方向に沿って延びると共にこの膜体の外面上に配置される可撓性板形状の太陽電池と、この太陽電池を上記膜体に取り付ける取付具とを備えている。また、この取付具は、上記太陽電池をその外方から全体的に覆って、外縁部が上記膜体に溶着される樹脂製の透明カバー体で構成されている。
【０００３】
そして、上記太陽電池が太陽光を受光するとき、この太陽電池により、太陽光の光エネルギーが電気エネルギーに変換される。そして、この電気エネルギーはバッテリに充電されたり、その他の電気機器に供給されたりして、自然エネルギーの有効利用が図られるようになっている。
【先行技術文献】
【特許文献】
【０００４】
【特許文献１】特開昭６０−１０７８７１号公報
【発明の概要】
【発明が解決しようとする課題】
【０００５】
ところで、上記従来の技術では、上記したように、カバー体は太陽電池をその外方から全体的に覆うものであるため、太陽電池に向かう太陽光は、その全てが上記カバー体を一旦透過した後、上記太陽電池に受光される。よって、上記カバー体を太陽光が透過する分、この太陽光の光エネルギーが減衰させられることから、この太陽光発電装置では、光エネルギーを電気エネルギーに変換する変換効率が低下しがちとなる。
【０００６】
また、上記したように、カバー体は太陽電池をその外方から全体的に覆うものであるため、上記カバー体の面積が大きくなって、質量が大きくなりがちである。よって、このカバー体から膜体に与えられる負荷が大きくなることに因り、太陽光発電装置の寿命が低下するおそれもある。
【課題を解決するための手段】
【０００７】
本発明は、上記のような事情に注目してなされたもので、本発明の目的は、太陽光発電装置において、太陽光の光エネルギーを電気エネルギーに変換する変換効率を向上できるようにし、かつ、この太陽光発電装置の寿命を向上できるようにすることである。
【０００８】
請求項１の発明は、固定側部材２に支持されて張設される膜体４と、この膜体４の面方向に沿って延びると共にこの膜体４の外面上に配置される可撓性板形状の太陽電池５と、この太陽電池５を上記膜体４に取り付ける取付具６とを備えた膜状太陽光発電装置において、
上記取付具６が、上記太陽電池５の外縁部５ａに形成された貫通孔９と、一端部１０ａが上記膜体４に接合Ｗ１され、他端部１０ｂ側が上記貫通孔９に挿通された状態で上記他端部１０ｂが上記膜体４に接合Ｗ２される取付膜材１０とを有したことを特徴とする膜状太陽光発電装置である。
【０００９】
請求項２の発明は、上記取付膜材１０の一端部１０ａが上記太陽電池５の裏面側に配置され、上記取付膜材１０の他端部１０ｂが上記太陽電池５の面方向の外方に配置されたことを特徴とする請求項１に記載の膜状太陽光発電装置である。
【００１０】
請求項３の発明は、上記太陽電池５の外縁部５ａに沿って上記取付膜材１０の他端部１０ｂ側が所定間隔をあけて複数配設され、上記各取付膜材１０の一端部１０ａ同士が一体的に連結されたことを特徴とする請求項１、もしくは２に記載の膜状太陽光発電装置である。
【００１１】
請求項４の発明は、上記膜体４の面方向で、この膜体４の傾斜した方向Ａに直交する方向Ｂの上記太陽電池５の各外縁部５ａがそれぞれ上記取付具６により上記膜体４に取り付けられ、上記傾斜した方向Ａにおける上記太陽電池５の上部の外縁部５ｂと上記膜体４との間の隙間１３を覆うカバー膜材１４が設けられたことを特徴とする請求項１から３のうちいずれか１つに記載の膜状太陽光発電装置である。
【００１２】
なお、この項において、上記各用語に付記した符号や図面番号は、本発明の技術的範囲を後述の「実施例」の項や図面の内容に限定解釈するものではない。
【発明の効果】
【００１３】
本発明による効果は、次の如くである。
【００１４】
請求項１の発明は、固定側部材に支持されて張設される膜体と、この膜体の面方向に沿って延びると共にこの膜体の外面上に配置される可撓性板形状の太陽電池と、この太陽電池を上記膜体に取り付ける取付具とを備えた膜状太陽光発電装置において、
上記取付具が、上記太陽電池の外縁部に形成された貫通孔と、一端部が上記膜体に接合され、他端部側が上記貫通孔に挿通された状態で上記他端部が上記膜体に接合される取付膜材とを有している。
【００１５】
このため、第１に、上記太陽電池に向かう太陽光は、上記取付具を透過したり、この取付具に邪魔されたりすることなく、上記太陽電池に、より直接受光される。よって、その分、この太陽光発電装置によれば、光エネルギーを電気エネルギーに変換する変換効率を向上させることができる。
【００１６】
また、第２に、上記膜体に太陽電池を取り付ける取付具は、従来の技術のように太陽電池を全体的に覆うものではないため、その形状を小さくして質量を小さく抑制できる。よって、上記取付具から膜体に与えられる負荷を小さく抑制できるため、太陽光発電装置の寿命の向上を達成できる。
【００１７】
しかも、上記したように、取付具の取付膜材は、その一端部が膜体に接合され、他端部側が上記太陽電池の外縁部に形成された貫通孔に挿通された状態で上記他端部が膜体に接合されている。このため、上記取付膜材の可撓性によって、上記太陽電池は、膜体に対しある程度の相対移動が許容された状態でこの膜体に取り付けられる。よって、仮に、上記固定側部材に支持されて張設される膜体側から上記太陽電池に張力など外力が与えられようとしても、これは、上記した膜体に対する太陽電池の相対移動によって抑制されるのであり、この点でも、太陽光発電装置の寿命の向上が達成される。
【００１８】
更に、第３に、上記したように、太陽電池は膜体に対し、この膜体に接合される取付具の取付膜材よって取り付けられる。このため、仮に、これらのそれぞれの材質の相違や、溶融温度が互いに相違すること等により、膜体に太陽電池を直接接合して取り付けることはできないとしても、上記膜体への太陽電池の取り付けは、上記した取付具の取付膜材によって可能となる。よって、上記発明によれば、膜体と太陽電池との各材質など構成上の相違にかかわらず、膜体への太陽電池の取り付けができるため、これら膜体と太陽電池とについて、それぞれ構成上の選択の自由度が向上する。
【００１９】
請求項２の発明は、上記取付膜材の一端部が上記太陽電池の裏面側に配置され、上記取付膜材の他端部が上記太陽電池の面方向の外方に配置されている。
【００２０】
このため、上記膜体に太陽電池を取付具により取り付けた場合、この取付具の取付膜材の一端部は上記太陽電池の裏面側に配置されていて、外観上、容易に見えることは防止される。よって、上記太陽光発電装置の外観上の見栄えが向上する。
【００２１】
また、上記膜体に太陽電池を取付具により取り付ける場合、この取付具の取付膜材の他端部は太陽電池の外方に配置されているため、上記膜体への上記取付具の取付膜材の他端部の接合は、上記太陽電池に邪魔されることなく円滑にできる。よって、上記取付具による膜体への太陽電池の取り付けは容易にできる。
【００２２】
請求項３の発明は、上記太陽電池の外縁部に沿って上記取付膜材の他端部側が所定間隔をあけて複数配設され、上記各取付膜材の一端部同士が一体的に連結されている。
【００２３】
このため、上記膜体から上記取付具の取付膜材を介し太陽電池に引張力など外力が与えられるとしても、この外力は上記取付膜材の各他端部側を介し分散して上記太陽電池に与えられる、よって、上記外力により太陽電池が損傷することは防止されるため、太陽光発電装置の寿命の向上を、より確実に達成できる。
【００２４】
また、上記したように、取付具の各取付膜材の一端部同士は一体的に連結されているため、膜体に太陽電池を取付具により取り付けようとして、この取付具の取付膜材の各一端部を膜体に取り付ける場合には、これら各一端部をそれぞれ膜体に接合することを避けて、この接合工程を少なくすることができる。よって、上記膜体への取付膜材の各一端部の接合作業が容易にできるため、上記膜体への太陽電池の取り付けが容易にできる。
【００２５】
請求項４の発明は、上記膜体の面方向で、この膜体の傾斜した方向に直交する方向の上記太陽電池の各外縁部がそれぞれ上記取付具により上記膜体に取り付けられ、上記傾斜した方向における上記太陽電池の上部の外縁部と上記膜体との間の隙間を覆うカバー膜材が設けられている。
【００２６】
このため、上記膜体上を上記傾斜した方向の下方に向かって雪が滑落する場合、この雪が上記膜体と太陽電池との間に入り込むことは上記各取付具とカバー膜材とによって防止される。よって、上記膜体上に雪が滞留することは防止されて、膜体に与えられる負荷が小さく抑制されるため、この点でも、太陽光発電装置の寿命の向上を達成できる。
【図面の簡単な説明】
【００２７】
【図１】実施例１を示し、図２のI−I線矢視拡大断面図である。
【図２】実施例１を示し、太陽光発電装置の部分平面部分破断図である。
【図３】実施例１を示し、図２のIII−III線矢視拡大断面図である。
【図４】実施例２を示し、図１に相当する図である。
【発明を実施するための形態】
【００２８】
本発明の膜状太陽光発電装置に関し、太陽光発電装置において、太陽光の光エネルギーを電気エネルギーに変換する変換効率を向上できるようにし、かつ、この太陽光発電装置の寿命を向上できるようにする、という目的を実現するため、本発明を実施するための形態は、次の如くである。
【００２９】
即ち、膜状太陽光発電装置は、固定側部材に支持されて張設される膜体と、この膜体の面方向に沿って延びると共にこの膜体の外面上に配置される可撓性板形状の太陽電池と、この太陽電池を上記膜体に取り付ける取付具とを備える。上記取付具は、上記太陽電池の外縁部に形成された貫通孔と、一端部が上記膜体に接合され、他端部側が上記貫通孔に挿通された状態で上記他端部が上記膜体に接合される取付膜材とを有している。
【００３０】
なお、上記接合は、接着剤による接着や、熱による溶着により接合することが可能である。
【実施例１】
【００３１】
本発明をより詳細に説明するために、その実施例１を添付の図１〜３に従って説明する。
【００３２】
図１〜３において、符号１は膜状太陽光発電装置である。この太陽光発電装置１は、建造物などの固定側部材２に支持具３により支持されて張設される膜体４と、この膜体４の外面（上面）に沿って延びると共にこの外面上に配置される可撓性板形状の複数の太陽電池５と、これら各太陽電池５をそれぞれ上記膜体４に取り付ける取付具６とを備えている。
【００３３】
上記膜体４は、その上面が太陽光に向かうよう水平面に対し下方に向かって傾斜した方向Ａに延びている。この膜体４は、ケナフ繊維等の天然繊維、ポリエステル繊維等の合成繊維、もしくはガラス繊維等の無機繊維等により形成される織物である基材と、この基材の各外面に被覆（コーティング）されるポリ塩化ビニル（ＰＶＣ）やフッ素樹脂など熱可塑性樹脂製の表面材（コーティング材）とを備えている。なお、上記膜体４の表面材は、少なくとも熱により溶着する部分の表面がポリ塩化ビニルやフッ素樹脂等の熱可塑性樹脂であればよく、その他の部分の外面には、汚れ防止のための光触媒層を設けていてもよいし、もしくは、上記熱可塑性樹脂に光触媒粒子を含有させることにより光触媒層としてもよい。
【００３４】
上記太陽電池５はそれぞれ矩形をなし、互いに同形同大とされて、上記膜体４の面方向での上記傾斜した方向Ａと、この傾斜した方向Ａに直交する方向（傾斜の無い方向）Ｂとに碁盤目状となるよう上記膜体４の外面上に配置されている。上記各太陽電池５の表面材（カバー材）は、フッ素樹脂、例えばテトラフルオロエチレン-エチレン共重合体（ＥＴＦＥ）等により形成されている。
【００３５】
上記取付具６は、上記直交する方向Ｂにおける上記太陽電池５の外縁部５ａにそれぞれ形成されたスリット状貫通孔９と、一端部１０ａが上記膜体４に熱溶着により接合Ｗ１され、他端部１０ｂ側が上記貫通孔９に挿通された状態で上記他端部１０ｂが上記膜体４に熱溶着により接合Ｗ２される取付膜材１０とを有している。
【００３６】
上記取付膜材１０の少なくとも表面材は、上記膜体４と接着剤による接着や熱溶着可能な素材であれば特に限定されないが、例えば、上記膜体４の少なくとも表面材がポリ塩化ビニルであれば、ポリ塩化ビニルが好ましく、上記膜体４の少なくとも表面材がフッ素樹脂であれば、上記取付膜材１０の少なくとも表面材がフッ素樹脂というように、熱可塑性樹脂の中でも同じ素材であることが好ましい。特に上記膜体４の表面材がフッ素樹脂の場合は、接合強度を高めるために上記取付膜材１０との間に溶融粘度の低いテトラフルオロエチレン−へキサフルオロプロピレン共重合体（ＦＥＰ）からなるテープを介在させて溶着してもよいし、上記取付膜材１０自体をＦＥＰにより作成してもよく、これにより実用上十分な溶着強度を得ることが可能となる。
【００３７】
上記貫通孔９は、上記太陽電池５の各外縁部に沿う方向（傾斜した方向Ａ）に所定の等間隔をあけて複数（４つ）形成されている。一方、上記取付膜材１０は、各貫通孔９毎に個別に複数（４つ）設けられている。上記各取付膜材１０は上記直交する方向Ｂに長い長方形状をなして互いに同形同大とされている。上記各取付膜材１０は、上記太陽電池５の各外縁部に沿う方向（傾斜した方向Ａ）で上記貫通孔９と同様に所定の等間隔をあけて配置されている。上記取付膜材１０の構造、材質は上記膜体４と同様とされる。
【００３８】
上記各取付膜材１０の長手方向の一端部１０ａは上記太陽電池５の外縁部５ａの裏面側、つまり、太陽電池５の外縁部５ａと膜体４との間に配置されて上記膜体４に接合Ｗ１されている。また、上記各取付膜材１０の長手方向の他端部１０ｂは上記太陽電池５の面方向（膜体４の面方向）の外方近傍に配置されて上記膜体４に接合Ｗ２されている。
【００３９】
なお、図２中一点鎖線で示すように、上記した太陽電池５の各外縁部５ａ毎における複数（４つ）の取付膜材１０の各一端部１０ａ同士を一体的に連結し、上記太陽電池５の各外縁部５ａ毎に設けられる取付具６をそれぞれ櫛形状となるようにしてもよい。
【００４０】
図２，３において、上記傾斜した方向Ａにおける上記太陽電池５の上部の外縁部５ｂと上記膜体４との間の隙間１３をその外方から覆うカバー膜材１４が設けられている。具体的には、このカバー膜材１４は上記太陽電池５の上部の外縁部５ｂに沿って上記直交する方向Ｂに長く延びる帯形状とされている。上記カバー膜材１４の構造、材質は上記膜体４と同様とされる。上記カバー膜材１４における上記傾斜した方向Ａでの上端縁部と長手方向の各端部とはそれぞれ上記膜体４に熱溶着により接合Ｗ３されている。上記カバー膜材１４の上記傾斜した方向Ａでの下端縁部は、上記傾斜した方向Ａにおける上記太陽電池５の上端縁部にその外方から重ねられている。
【００４１】
なお、上記取付具６の取付膜材１０とカバー膜材１４とについても、前記膜体４４と同様に、熱により溶着する部分の表面がポリ塩化ビニル（ＰＶＣ）等の熱可塑性樹脂であればよく、その他の部分の外面には、汚れ防止のための光触媒層を設けてもよいし、もしくは、上記熱可塑性樹脂に光触媒粒子を含有させることにより光触媒層としてもよい。
【００４２】
また、上記各溶着による接合Ｗ１〜Ｗ３は、熱板溶着、高周波溶着、熱風溶着、および熱コテ式溶着などにより達成可能である。なお、上記各接合Ｗ１〜Ｗ３は、溶着の代わりに接着剤による接合も可能である。
【００４３】
上記固定側部材２に支持されて張設された膜体４に太陽電池５を取付具６により取り付ける場合、次のようにすることができる。
【００４４】
即ち、図１中実線で示すように、まず、上記膜体４に取付膜材１０の一端部１０ａを接合Ｗ１する。次に、図１中一点鎖線で示すように、上記膜体４の外方に向けて突出させた上記取付膜材１０の他端部１０ｂに対し上記太陽電池５を膜体４の外方から接近Ｃさせ、上記取付膜材１０の他端部１０ｂ側を上記太陽電池５の貫通孔９に挿通させる。次に、図１中実線で示すように上記取付膜材１０の他端部１０ｂを屈曲Ｄさせて膜体４に重ね、この膜体４に接合Ｗ２する。以下、上記のようにして各取付膜材１０を膜体４にそれぞれ接合Ｗ１，Ｗ２すれば、上記膜体４への太陽電池５の取り付けができる。
【００４５】
上記構成によれば、取付具６が、上記太陽電池５の外縁部５ａに形成された貫通孔９と、一端部１０ａが上記膜体４に接合Ｗ１され、他端部１０ｂ側が上記貫通孔９に挿通された状態で上記他端部１０ｂが上記膜体４に接合Ｗ２される取付膜材１０とを有している。
【００４６】
このため、第１に、上記太陽電池５に向かう太陽光は、上記取付具６を透過したり、この取付具６に邪魔されたりすることなく、上記太陽電池５に、より直接受光される。よって、その分、この太陽光発電装置１によれば、光エネルギーを電気エネルギーに変換する変換効率を向上させることができる。
【００４７】
また、第２に、上記膜体４に太陽電池５を取り付ける取付具６は、従来の技術のように太陽電池５を全体的に覆うものではないため、その形状を小さくして質量を小さく抑制できる。よって、上記取付具６から膜体４に与えられる負荷を小さく抑制できるため、太陽光発電装置１の寿命の向上を達成できる。
【００４８】
しかも、上記したように、取付具６の取付膜材１０は、その一端部１０ａが膜体４に接合Ｗ１され、他端部１０ｂ側が上記太陽電池５の外縁部５ａに形成された貫通孔９に挿通された状態で上記他端部１０ｂが膜体４に接合Ｗ２されている。このため、上記取付膜材１０の可撓性によって、上記太陽電池５は、膜体４に対しある程度の相対移動が許容された状態でこの膜体４に取り付けられる。よって、仮に、上記固定側部材２に支持されて張設される膜体４側から上記太陽電池５に張力など外力が与えられようとしても、これは、上記した膜体４に対する太陽電池５の相対移動によって抑制されるのであり、この点でも、太陽光発電装置１の寿命の向上が達成される。
【００４９】
更に、第３に、上記したように、太陽電池５は膜体４に対し、この膜体４に接合Ｗ１，Ｗ２される取付具６の取付膜材１０よって取り付けられる。このため、仮に、上記膜体４の表面材を溶着温度が１５０〜１８０℃程度であるポリ塩化ビニル樹脂（ＰＶＣ）とする一方、上記太陽電池５の表面材を溶着温度が２５０〜３００℃程度であるフッ素樹脂（ＥＴＦＥ）とし、つまり、これら４，５のそれぞれの材質の相違や、溶融温度が互いに相違すること等により、膜体４に太陽電池５を直接溶着など接合して取り付けることはできないとしても、上記膜体４への太陽電池５の取り付けは、上記した取付具６の取付膜材１０によって可能となる。よって、上記構成によれば、膜体４と太陽電池５との各材質など構成上の相違にかかわらず、膜体４への太陽電池５の取り付けができるため、これら膜体４と太陽電池５とについて、それぞれ構成上の選択の自由度が向上する。
【００５０】
また、前記したように、取付膜材１０の一端部１０ａが上記太陽電池５の裏面側に配置され、上記取付膜材１０の他端部１０ｂが上記太陽電池５の面方向の外方に配置されている。
【００５１】
このため、上記膜体４に太陽電池５を取付具６により取り付けた場合、この取付具６の取付膜材１０の一端部１０ａは上記太陽電池５の裏面側に配置されていて、外観上、容易に見えることは防止される。よって、上記太陽光発電装置１の外観上の見栄えが向上する。
【００５２】
また、上記膜体４に太陽電池５を取付具６により取り付ける場合、この取付具６の取付膜材１０の他端部１０ｂは太陽電池５の外方に配置されているため、上記膜体４への上記取付具６の取付膜材１０の他端部１０ｂの接合Ｗ２は、上記太陽電池５に邪魔されることなく円滑にできる。よって、上記取付具６による膜体４への太陽電池５の取り付けは容易にできる。
【００５３】
また、前記したように、太陽電池５の外縁部５ａに沿って上記取付膜材１０の他端部１０ｂ側が所定間隔をあけて複数配設され、上記各取付膜材１０の一端部１０ａ同士が一体的に連結されている。
【００５４】
このため、上記膜体４から上記取付具６の取付膜材１０を介し太陽電池５に引張力など外力が与えられるとしても、この外力は上記取付膜材１０の各他端部１０ｂ側を介し分散して上記太陽電池５に与えられる、よって、上記外力により太陽電池５が損傷することは防止されるため、太陽光発電装置１の寿命の向上を、より確実に達成できる。
【００５５】
また、前記した図２中一点鎖線で示すように、取付具６の各取付膜材１０の一端部１０ａ同士は一体的に連結されているため、膜体４に太陽電池５を取付具６により取り付けようとして、この取付具６の取付膜材１０の各一端部１０ａを膜体４に取り付ける場合には、これら各一端部１０ａをそれぞれ膜体４に接合Ｗ１することを避けて、この接合Ｗ１工程を少なくすることができる。よって、上記膜体４への取付膜材１０の各一端部１０ａの接合作業が容易にできるため、上記膜体４への太陽電池５の取り付けが容易にできる。
【００５６】
また、前記したように、膜体４の面方向で、この膜体４の傾斜した方向Ａに直交する方向Ｂの上記太陽電池５の各外縁部５ａがそれぞれ上記取付具６により上記膜体４に取り付けられ、上記傾斜した方向Ａにおける上記太陽電池５の上部の外縁部５ｂと上記膜体４との間の隙間１３を覆うカバー膜材１４が設けられている。
【００５７】
このため、上記膜体４上を上記傾斜した方向Ａの下方に向かって雪が滑落する場合、この雪が上記膜体４と太陽電池５との間に入り込むことは上記各取付具６とカバー膜材１４とによって防止される。よって、上記膜体４上に雪が滞留することは防止されて、膜体４に与えられる負荷が小さく抑制されるため、この点でも、太陽光発電装置１の寿命の向上を達成できる。
【００５８】
なお、以上は図示の例によるが、上記太陽電池５は三角形や五角形など多角形であってもよく、円形や楕円形であってもよい。また、上記取付具６の貫通孔９は長孔や円形であってもよい。また、上記傾斜した方向Ａの太陽電池５の各外縁部をそれぞれ取付具６により膜体４に取り付けるようにしてもよい。
【００５９】
また、上記貫通孔９の数は特に限定されず、上記太陽電池５の上記傾斜した方向Ａの長さ等に応じて、適宜必要に応じて設定される。また、上記傾斜した方向Ａに沿う方向に限らず、直行する方向Ｂに沿う方向、あるいは上記太陽電池の形状等によってどの外縁部に設けてもよい。
【００６０】
さらに、上記取付膜材１０の一端部１０ａを上記膜体４に取り付ける場合の一例として、工場で先に膜体４と溶着しておいてもよく、このようにすれば、施工現場での太陽電池５の取り付けが、より容易となる。
【００６１】
以下の図４は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００６２】
本発明をより詳細に説明するために、その実施例２を添付の図４に従って説明する。
【００６３】
図４において、上記取付膜材１０は二枚重ねとなるよう屈曲されており、その一端部１０ａと他端部１０ｂとは共に上記太陽電池５の面方向の外方に配置されている。また、上記取付膜材１０の一端部１０ａは、この取付膜材１０の長手方向の中途部の裏面側に配置されている。
【００６４】
上記構成によれば、上記膜体４に太陽電池５を取付具６により取り付ける場合、次のようにすることができる。
【００６５】
即ち、まず、上記太陽電池５に形成された貫通孔９に取付膜材１０を挿通させて二枚重ねとなるよう屈曲させ、これら組み合わせ体５，１０を上記膜体４の外面に重ねる。次に、この膜体４に上記取付膜材１０の一端部１０ａと他端部１０ｂとを順次接合Ｗ１，Ｗ２する。以下、上記のようにして各取付膜材１０を膜体４にそれぞれ接合Ｗ１，Ｗ２すれば、上記膜体４への太陽電池５の取り付けができる。
【符号の説明】
【００６６】
１    太陽光発電装置
２    固定側部材
３    支持具
４    膜体
５    太陽電池
５ａ  外縁部
５ｂ  外縁部
６    取付具
９    貫通孔
１０  取付膜材
１０ａ  一端部
１０ｂ  他端部
１３  隙間
１４  カバー膜材
Ａ    傾斜した方向
Ｂ    直交する方向
Ｃ    接近
Ｄ    屈曲
Ｗ１  接合
Ｗ２  接合
Ｗ３  接合
【図１】
0005642021.tif 000002
【図２】
0005642021.tif 000003
【図３】
0005642021.tif 000004
【図４】
0005642021.tif 000005